(57)【要約】  端末装置は、ＣＲＳが存在するサブフレームを示す第１の情報と、ＣＲＳアンテナポートの数を示し、ＰＤＳＣＨがマップされるリソースエレメントを決定するための第２の情報と、を受信する受信部を備え、前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく。これにより、下りリンク物理チャネルを用いて端末装置と基地局装置とが効率的に通信する。
2015005428.tif 000002
【特許請求の範囲】
【請求項１】
基地局装置と通信する端末装置において、
ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を受信する受信部を備え、
前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく、
端末装置。
【請求項２】
前記受信部は、ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率を示す第３の情報を受信し、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記サービングセルのＣＲＳアンテナポートの数に基づく、
請求項１に記載の端末装置。
【請求項３】
前記受信部は、ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率に関する第３の情報を受信し、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記ＰＤＳＣＨが対応する前記第２の情報が示すＣＲＳアンテナポートの数に基づく、
請求項１に記載の端末装置。
【請求項４】
基地局装置と通信する端末装置に用いられる通信方法において、
ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を受信し、
前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく、
通信方法。
【請求項５】
ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率を示す第３の情報を受信し、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記サービングセルのＣＲＳアンテナポートの数に基づく、
請求項４に記載の通信方法。
【請求項６】
ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率に関する第３の情報を受信し、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記ＰＤＳＣＨが対応する前記第２の情報が示すＣＲＳアンテナポートの数に基づく、
請求項４に記載の通信方法。
【請求項７】
基地局装置と通信する端末装置に用いられる集積回路であって、
ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を受信する機能を含む、一連の機能を前記端末装置に発揮させ、
前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく、
集積回路。
【請求項８】
前記集積回路は、ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率を示す第３の情報を受信する機能を、前記端末装置に発揮させ、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記サービングセルのＣＲＳアンテナポートの数に基づく、
請求項７に記載の集積回路。
【請求項９】
前記集積回路は、ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率に関する第３の情報を受信する機能を、前記端末装置に発揮させ、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記ＰＤＳＣＨが対応する前記第２の情報が示すＣＲＳアンテナポートの数に基づく、
請求項７に記載の集積回路。
【請求項１０】
端末装置と通信する基地局装置において、
ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を送信する送信部を備え、
前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく、
基地局装置。
【請求項１１】
前記送信部は、ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率を示す第３の情報を送信し、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記サービングセルのＣＲＳアンテナポートの数に基づく、
請求項１０に記載の基地局装置。
【請求項１２】
前記送信部は、ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率に関する第３の情報を送信し、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記ＰＤＳＣＨが対応する前記第２の情報が示すＣＲＳアンテナポートの数に基づく、
請求項１０に記載の基地局装置。
【請求項１３】
端末装置と通信する基地局装置に用いられる通信方法において、
ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を送信し、
前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく、
通信方法。
【請求項１４】
ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率を示す第３の情報を送信し、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記サービングセルのＣＲＳアンテナポートの数に基づく、
請求項１３に記載の通信方法。
【請求項１５】
ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率に関する第３の情報を送信し、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記ＰＤＳＣＨが対応する前記第２の情報が示すＣＲＳアンテナポートの数に基づく、
請求項１３に記載の通信方法。
【請求項１６】
端末装置と通信する基地局装置に用いられる集積回路であって、
ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を送信する機能を含む、一連の機能を前記基地局装置に発揮させ、
前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく、
集積回路。
【請求項１７】
前記集積回路は、ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率を示す第３の情報を送信する機能を、前記基地局装置に発揮させ、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記サービングセルのＣＲＳアンテナポートの数に基づく、
請求項１６に記載の集積回路。
【請求項１８】
前記集積回路は、ＰＤＳＣＨ  ＥＰＲＥ（Energy Per Resource Element）とサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率に関する第３の情報を送信する機能を、前記基地局装置に発揮させ、
前記第１の情報によってＣＲＳが存在するサブフレームとして指示されたサブフレーム以外のサブフレームにおいて、前記第１の比率が対応するＯＦＤＭ（Orthogonal Frequency Division Multiplexing）シンボルと前記第２の比率が対応するＯＦＤＭシンボルは、前記ＰＤＳＣＨが対応する前記第２の情報が示すＣＲＳアンテナポートの数に基づく、
請求項１６に記載の集積回路。
【発明の詳細な説明】
【技術分野】
【０００１】
本発明は、端末装置、基地局装置、集積回路、および、通信方法に関する。
本願は、２０１３年７月１１日に、日本に出願された特願２０１３−１４５３４９号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
基地局装置はＰＤＳＣＨ（Physical Downlink Shared Channel）を用いてデータを端末装置に送信する。また、３ＧＰＰでは、複数の基地局装置（セル、送信ポイント、受信ポイント）が互いに協調して干渉コーディネーションを行う技術であるＣｏＭＰ（Coordinated Multi-Point transmission and reception）をサポートすることが検討されている。基地局装置は、複数の協調している送信ポイントのうちの１つを用いて単一のＰＤＳＣＨを端末装置に送信できる。基地局装置は、複数の協調している送信ポイントを用いて単一のＰＤＳＣＨを端末装置に送信できる。【０００４】
非特許文献１には、ＣｏＭＰにおいて送信ポイント毎にＰＤＳＣＨの送信電力を制御する技術が記載されている。非特許文献１において、ＰＤＳＣＨの送信電力に関連するパラメータ（PB）は、ＤＭＲＳ仮想セルＩＤと対応付けられている。また、非特許文献１には、パラメータ（PB）が、ＣＲＳ（Cell-specific Reference Signal）に対する電力ブースティング（power boosting）のレベルに対応することが記載されている。
【先行技術文献】
【非特許文献】
【０００５】
【非特許文献１】"Further discussion on downlink power allocation for CoMP", R1-123478, 3GPP TSG-RAN WG1 Meeting #70, 13 - 17 August 2012.
【発明の概要】
【発明が解決しようとする課題】
【０００６】
例えば、非特許文献１に記載の技術では、送信ポイントのそれぞれにおいてＯＦＤＭシンボル単位でＰＤＳＣＨの電力を制御することができないという問題があった。本発明の一態様は、上記問題を鑑みてなされたものであり、その目的は、効率的に下りリンク物理チャネルを用いて通信することができる端末装置、基地局装置、集積回路、および、通信方法を提供することである。
【課題を解決するための手段】
【０００７】
（１）上記の目的を達成するために、本発明の一態様は、以下のような手段を講じた。すなわち、本発明の一態様における端末装置は、基地局装置と通信する端末装置であって、ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を受信する受信部を備え、前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく。【０００８】
（２）また、本発明の一態様における通信方法は、基地局装置と通信する端末装置に用いられる通信方法であって、ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を受信し、前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく。【０００９】
（３）また、本発明の一態様における集積回路は、基地局装置と通信する端末装置に用いられる集積回路であって、ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を受信する機能を含む、一連の機能を前記端末装置に発揮させ、前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく。【００１０】
（４）また、本発明の一態様における基地局装置は、端末装置と通信する基地局装置であって、ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を送信する送信部を備え、前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく。【００１１】
（５）また、本発明の一態様における通信方法は、端末装置と通信する基地局装置に用いられる通信方法であって、ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を送信し、前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく。【００１２】
（６）また、本発明の一態様における集積回路は、端末装置と通信する基地局装置に用いられる集積回路であって、ＣＲＳ（Cell-specific Reference Signal）が存在するサブフレームを示す第１の情報と、ＣＲＳアンテナポートの数を示し、ＰＤＳＣＨ（Physical Downlink Control Channel）がマップされるリソースエレメントを決定するための第２の情報と、を送信する機能を含む、一連の機能を前記基地局装置に発揮させ、前記第１の情報によってＣＲＳが存在するサブフレームとして指示されたサブフレーム以外のサブフレームにおいて、サービングセルに対するＣＲＳアンテナポートと異なるアンテナポートで送信されるＰＤＳＣＨがマップされるリソースエレメントは、前記ＰＤＳＣＨが対応する前記第２の情報によって示されるＣＲＳアンテナポートの数に基づく。
【発明の効果】
【００１３】
この発明の一態様によれば、下りリンク物理チャネルを用いて端末装置と基地局装置とが効率的に通信することができる。
【図面の簡単な説明】
【００１４】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクのサブフレームにおける物理チャネルおよび物理信号の配置の一例を示す図である。
【図５】本実施形態の上りリンクのサブフレームにおける物理チャネルおよび物理信号の配置の一例を示す図である。
【図６】本実施形態のｎｏｎ―ＭＢＳＦＮサブフレームにおけるＣＲＳとＵＲＳの配置を示す図である。
【図７】本実施形態のＭＢＳＦＮサブフレームにおけるＣＲＳとＵＲＳの配置を示す図である。
【図８】本実施形態のＰＱＩフィールドの値とパラメータセットとの対応を示す表である。
【図９】本実施形態の第３の比率（ρＢ／ρＡ）を示す表である。
【図１０】本実施形態において対応するＰＤＳＣＨ  ＥＰＲＥとサービングセルのＣＲＳ  ＥＰＲＥとの比率がρＡまたはρＢによって表現される、ｎｏｎ−ＭＢＳＦＮサブフレームのスロット内のＯＦＤＭシンボルインデックスを示す表である。
【図１１】本実施形態において対応するＰＤＳＣＨ  ＥＰＲＥとサービングセルのＣＲＳ  ＥＰＲＥとの比率がρＡまたはρＢによって表現される、ＭＢＳＦＮサブフレームのスロット内のＯＦＤＭシンボルインデックスを示す表である。
【図１２】本実施形態のρＡまたはρＢが対応するＯＦＤＭシンボルインデックスの一例を示す図である。
【図１３】本実施形態のρＡまたはρＢが対応するＯＦＤＭシンボルインデックスの別の例を示す図である。
【図１４】本実施形態の端末装置１の構成を示す概略ブロック図である。
【図１５】本実施形態の基地局装置３の構成を示す概略ブロック図である。
【発明を実施するための形態】
【００１５】
以下、本発明の実施形態について説明する。
【００１６】
本実施形態では、端末装置は、複数のセルが設定される。端末装置が複数のセルを介して通信する技術をセルアグリゲーション、またはキャリアアグリゲーションと称する。端末装置に対して設定される複数のセルのそれぞれにおいて、本発明が適用されてもよい。また、設定された複数のセルの一部において、本発明が適用されてもよい。端末装置に設定されるセルを、サービングセルとも称する。
【００１７】
設定された複数のサービングセルは、１つのプライマリーセルと１つまたは複数のセカンダリーセルとを含む。プライマリーセルは、初期コネクション構築（initial connection establishment）プロシージャが行なわれたサービングセル、コネクション再構築（connection re-establishment）プロシージャを開始したサービングセル、または、ハンドオーバプロシージャにおいてプライマリーセルと指示されたセルである。ＲＲＣコネクションが構築された時点、または、後に、セカンダリーセルが設定されてもよい。
【００１８】
セルアグリゲーションの場合には、複数のセルの全てに対してＴＤＤ（Time Division Duplex）方式またはＦＤＤ（Frequency Division Duplex）方式が適用されてもよい。また、セルアグリゲーションの場合には、ＴＤＤ方式が適用されるセルとＦＤＤ方式が適用されるセルが集約されてもよい。以下、本実施形態においてＦＤＤが適用されるセルを用いて説明を行うが、本発明はＴＤＤが適用されるセルにも適用可能である。
【００１９】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。図１において、基地局装置３は、第１の送受信ポイントおよび第２の送受信ポイントを備える。基地局装置３は、第１の送受信ポイントおよび／または第２の送受信ポイントを用いて信号を送信することができる。基地局装置３は、第１の送受信ポイントおよび／または第２の送受信ポイントを用いて信号を受信することができる。
【００２０】
第１の送信ポイントがカバーするエリアを、第１のセルと称する。第２の送信ポイントがカバーするエリアを第２のセルと称する。図１において、端末装置１Ａ〜１Ｃに対して、第１のセルはサービングセルであり、第２のセルは協調セル（cordinated cell）である。サービングセルは、端末装置１に対して非透過的（non-transparent）である。協調セルは、端末装置１に対して透過的（transparent）であってもよい。尚、ある端末装置１に対して、第１のセルが協調セルであり、第２のセルがサービングセルであってもよい。尚、第１のセルと第２のセルは、同一の周波数帯において構成される。
【００２１】
本実施形態の物理チャネルおよび物理信号について説明する。
【００２２】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。物理チャネルは、上位層から出力された情報を送信するために使用される。物理信号は、上位層から出力された情報を送信するために使用されないが、物理層によって使用される。
【００２３】
図１において、端末装置１から基地局装置３への上りリンクの無線通信では、以下の上りリンク物理チャネルが用いられる。
・ＰＵＣＣＨ（Physical Uplink Control Channel）
・ＰＵＳＣＨ（Physical Uplink Shared Channel）
・ＰＲＡＣＨ（Physical Random Access Channel）
【００２４】
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Downlink-Shared Channel: DL-SCH）に対するＡＣＫ（acknowledgement）／ＮＡＣＫ（negative-acknowledgement）を含む。ＡＣＫ／ＮＡＣＫを、ＨＡＲＱ−ＡＣＫ、または、ＨＡＲＱフィードバックとも称する。
【００２５】
ＰＵＳＣＨは、上りリンクデータ（Uplink-Shared Channel: UL-SCH）および／またはＨＡＲＱ−ＡＣＫおよび／またはチャネル状態情報を送信するために用いられる物理チャネルである。
【００２６】
ＰＲＡＣＨは、ランダムアクセスプリアンブルを送信するために用いられる物理チャネルである。ＰＲＡＣＨは、初期コネクション構築（initial connection establishment）プロシージャ、ハンドオーバプロシージャ、コネクション再構築（connection re-establishment）プロシージャにおいて用いられる。
【００２７】
図１において、上りリンクの無線通信では、以下の上りリンク物理信号が用いられる。
・上りリンク参照信号（Uplink Reference Signal: UL RS）
【００２８】
本実施形態において、以下の２つのタイプの上りリンク参照信号が用いられる。
・ＤＭＲＳ（Demodulation Reference Signal）
・ＳＲＳ（Sounding Reference Signal）
【００２９】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。ＳＲＳは、ＰＵＳＣＨまたはＰＵＣＣＨの送信に関連しない。基地局装置３は、上りリンクのチャネル状態を測定するためにＳＲＳを使用する。
【００３０】
図１において、基地局装置３から端末装置１への下りリンクの無線通信では、以下の下りリンク物理チャネルが用いられる。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３１】
ＰＢＣＨは、端末装置１で共通に用いられるマスターインフォメーションブロック（Master Information Block: MIB, Broadcast Channel: BCH）を報知するために用いられる。ＭＩＢは、４０ms間隔で送信され、ＭＩＢは１０ｍｓ周期で繰り返し送信される。例えば、ＭＩＢは、ＳＦＮを示す情報を含む。ＳＦＮ（system frame number）は無線フレームの番号である。ＭＩＢはシステム情報である。
【００３２】
ＰＣＦＩＣＨは、ＰＤＣＣＨの送信に用いられる領域（ＯＦＤＭシンボル）を指示する情報を送信するために用いられる。
【００３３】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック）を送信するために用いられる。
【００３４】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００３５】
上りリンクグラントは、単一のセル内の単一のＰＵＳＣＨのスケジューリングに用いられる。上りリンクグラントは、あるサブフレーム内の単一のＰＵＳＣＨのスケジューリングに用いられる。
【００３６】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。下りリンクグラントは、ＤＣＩフォーマット１ＡおよびＤＣＩフォーマット２Ｄを含む。ＤＣＩフォーマット１Ａは、ＰＱＩ（PDSCH RE Mapping and Quasi-Co-Location Indicator）フィールドを含まない。ＤＣＩフォーマット２Ｄは、ＰＱＩフィールドを含む。
【００３７】
送信モード１０がセットされた端末装置１は、ＤＣＩフォーマット１ＡおよびＤＣＩフォーマット２ＤのためにＰＤＣＣＨおよび／またはＥＰＤＣＣＨをモニタする。モニタすることは、全てのモニタされるＤＣＩフォーマットに応じてＰＤＣＣＨおよび／またはＥＰＤＣＣＨのデコード（受信、検出）を試みることを意味する。送信モードは、基地局装置３によってサービングセル毎に制御される。端末装置３は、基地局装置３から受信した上位層の信号に基づいて、サービングセルに対する送信モードをセットする。すなわち、基地局装置３は、上位層の信号を介して送信モードを端末装置１にセットする。
【００３８】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において端末装置１を識別するための識別子である。Ｃ−ＲＮＴＩは、単一のサブフレームにおけるＰＤＳＣＨのリソースまたはＰＵＳＣＨのリソースを制御するために用いられる。ＳＰＳ  Ｃ−ＲＮＴＩは、ＰＤＳＣＨまたはＰＵＳＣＨのリソースを周期的に割り当てるために用いられる。
【００３９】
ＰＤＳＣＨは、下りリンクデータ（Downlink Shared Channel: DL-SCH）を送信するために用いられる。
【００４０】
ＰＭＣＨは、マルチキャストデータ（Multicast Channel: MCH）を送信するために用いられる。
【００４１】
図１において、下りリンクの無線通信では、以下の下りリンク物理信号が用いられる。
・同期信号（Synchronization signal: SS）
・下りリンク参照信号（Downlink Reference Signal: DL RS）
【００４２】
同期信号は、端末装置１が下りリンクの周波数領域および時間領域の同期をとるために用いられる。ＦＤＤ方式において、同期信号は無線フレーム内のサブフレーム０と５に配置される。
【００４３】
下りリンク参照信号は、端末装置１が下りリンク物理チャネルの伝搬路補正を行なうために用いられる。下りリンク参照信号は、端末装置１が下りリンクのチャネル状態情報を算出するために用いられる。下りリンク参照信号は、端末装置１が自装置の地理的な位置を測定するために用いられる。
【００４４】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
【００４５】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、端末装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００４６】
サービングセルのＣＲＳは、該サービングセル（第１の送信ポイント）のＰＢＣＨの送信に用いられるアンテナポートの同じセットで送信される。ＰＢＣＨは、アンテナポート｛０｝、｛０，１｝、または、｛０，１，２，３｝で送信される。以下、アンテナポート｛０｝、｛０，１｝、および、｛０，１，２，３｝を、セル固有アンテナポート（cell specific antenna port）、ＣＲＳアンテナポート、または、アンテナポート０−３と称する。特に、サービングセルのＰＢＣＨおよびサービングセルのＣＲＳの送信に用いられるアンテナポートを、サービングセルに対するＣＲＳアンテナポート、サービングセルにおけるＣＲＳアンテナポート、または、サービングセルのＣＲＳアンテナポートと称する。
【００４７】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨは、ＣＲＳの送信に用いられるアンテナポートまたはＵＲＳの送信に用いられるアンテナポートで送信される。ＵＲＳは、１つまたは複数の｛７，８，…，１４｝のアンテナポートで送信される。以下、１つまたは複数の｛７，８，…，１４｝のアンテナポートを、ＵＲＳアンテナポート、または、アンテナポート７−１４と称する。
【００４８】
ＰＤＳＣＨに関連するＵＲＳ、および、ＵＲＳアンテナポートで送信されるＰＤＳＣＨは、端末装置１に対して透過的であってもよい。すなわち、端末装置１は、ＰＤＳＣＨに関連するＵＲＳ、および、ＵＲＳアンテナポートで送信されるＰＤＳＣＨが、サービングセルと協調セルの何れで送信されたかを特定できない。また、端末装置１は、ＰＤＳＣＨに関連するＵＲＳ、および、ＵＲＳアンテナポートで送信されるＰＤＳＣＨが、何れの送信ポイントで送信されたかを特定できなくてもよい。第１の送信ポイント、第２の送信ポイント、サービングセル、または、協調セルにおいて送信されるＵＲＳ、および、該ＵＲＳが送信されるＵＲＳアンテナポートのそれぞれを、サービングセルにおけるＵＲＳ、および、サービングセルにおけるＵＲＳアンテナポートとも称する。第１の送信ポイント、第２の送信ポイント、サービングセル、または、協調セルにおいてＵＲＳアンテナポートで送信されるＰＤＳＣＨを、サービングセルに対するＵＲＳアンテナポート、サービングセルにおけるＰＤＳＣＨ、および、サービングセルのＰＤＳＣＨとも称する。
【００４９】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００５０】
ＮＺＰ  ＣＳＩ−ＲＳは、設定されたサブフレームで送信される。ＮＺＰ  ＣＳＩ−ＲＳが送信されるリソースは、基地局装置３が設定する。ＮＺＰ  ＣＳＩ−ＲＳは、端末装置１が下りリンクのチャネル状態情報を算出するために用いられる。端末装置１は、ＮＺＰ  ＣＳＩ−ＲＳを用いて信号測定（チャネル測定）を行なう。
【００５１】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置１は、干渉を測定することができる。
【００５２】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００５３】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルにおけるデータの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５４】
以下、本実施形態の無線フレーム（radio frame）の構成について説明する。
【００５５】
図２は、本実施形態の無線フレームの概略構成を示す図である。無線フレームのそれぞれは、１０ｍｓ長である。図２において、横軸は時間軸である。また、無線フレームのそれぞれは、１０ｍｓ長であり、１０のサブフレームによって定義される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。
【００５６】
以下、本実施形態のスロットの構成について説明する。
【００５７】
図３は、本実施形態のスロットの構成を示す図である。本実施形態では、ＯＦＤＭシンボルに対してノーマルＣＰ（Cyclic Prefix）が適用される。尚、ＯＦＤＭシンボルに対して拡張ＣＰが適用されてもよい。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００５８】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００５９】
以下、サブフレームのそれぞれにおいて送信される物理チャネルおよび物理信号について説明する。
【００６０】
図４は、本実施形態の下りリンクのサブフレームにおける物理チャネルおよび物理信号の配置の一例を示す図である。図４において、横軸は時間軸であり、縦軸は周波数軸である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信してもよい。尚、ＰＢＣＨは無線フレーム内のサブフレーム０のみで送信される。説明の簡略化のため図４において下りリンク参照信号は図示しない。ＣＲＳおよびＵＲＳの配置については後述する。
【００６１】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００６２】
下りリンクサブフレームは、ＭＢＳＦＮ（Multicast Broadcast Single Frequency Network）サブフレームおよびｎｏｎ−ＭＢＳＦＮサブフレームを含む。ＰＭＣＨは、ＭＢＳＦＮサブフレームのみで送信される。ＰＢＣＨ、ＰＣＦＩＣＨ、ＰＨＩＣＨ、ＰＤＣＣＨ、ＥＰＤＣＣＨ、ＰＤＳＣＨは、ＭＢＳＦＮサブフレームおよびｎｏｎ−ＭＢＳFＮサブフレームにおいて送信される。あるサービングセルにおける１つのＭＢＳＦＮサブフレームにおいて、ＰＭＣＨとＰＤＳＣＨとは同時に送信されない。
【００６３】
基地局装置３は、サービングセルにおけるＭＢＳＦＮサブフレームおよびｎｏｎ−ＭＢＳＦＮサブフレームを示す情報を含む上位層の信号を、端末装置１に送信する。端末装置１は、サービングセルにおけるＭＢＳＦＮサブフレームおよびｎｏｎ−ＭＢＳＦＮサブフレームを示すパラメータmbsfn-SubframeConfigListを、基地局装置３から受信した上位層の信号に基づいてセットする。すなわち、基地局装置３は、サービングセルにおけるＭＢＳＦＮサブフレームおよびｎｏｎ−ＭＢＳＦＮサブフレームを示すパラメータmbsfn-SubframeConfigListを、上位層の信号を介して端末装置１にセットする。
【００６４】
ここで、端末装置１は、パラメータmbsfn-SubframeConfigListによってＭＢＳＦＮサブフレームとして指示されなかったサブフレームを、ｎｏｎ−ＭＢＳＦＮサブフレームとみなしてもよい。例えば、パラメータmbsfn-SubframeConfigListは、サブフレーム０およびサブフレーム５を、ＭＢＳＦＮサブフレームとして指示できなくてもよい。すなわち、サブフレーム０およびサブフレーム５は常にｎｏｎ−ＭＢＳＦＮサブフレームであってもよい。
【００６５】
図５は、本実施形態の上りリンクのサブフレームにおける物理チャネルおよび物理信号の配置の一例を示す図である。図５において、横軸は時間軸であり、縦軸は周波数軸である。端末装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。ＰＵＣＣＨ領域において、複数のＰＵＣＣＨが周波数、時間、および符合多重される。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００６６】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。尚、ＤＭＲＳはＰＵＣＣＨまたはＰＵＳＣＨと時間多重される。説明の簡略化のため図５においてＤＭＲＳは図示しない。
【００６７】
以下、ＣＲＳとＵＲＳの配置について説明する。
【００６８】
図６は、本実施形態のｎｏｎ―ＭＢＳＦＮサブフレームにおけるＣＲＳとＵＲＳの配置を示す図である。図７は、本実施形態のＭＢＳＦＮサブフレームにおけるＣＲＳとＵＲＳの配置を示す図である。図６および図７において、横軸は時間軸であり、縦軸は周波数軸である。図６および図７では、時間領域において１つのサブフレームを示し、周波数領域において１つの物理リソースブロックの帯域幅を示す。図６および図７は、ＣＲＳアンテナポートの数が４であり、ＵＲＳアンテナポートの数が８である場合の例を示している。
【００６９】
図６および図７において、Ｒｉ（ｉ＝０，１，２，３）が付された四角は、ＣＲＳアンテナポートｉで送信されるＣＲＳがマップされるリソースエレメントを示す。図６および図７において、Ｕ７が付された四角はＵＲＳアンテナポート｛７，８，１１，１３｝で送信されるＵＲＳがマップされるリソースエレメントを示し、Ｕ９が付された四角はＵＲＳアンテナポート｛９，１０，１２，１４｝で送信されるＵＲＳがマップされるリソースエレメントを示す。ＵＲＳアンテナポート｛７，８，１１，１３｝で送信されるＵＲＳは符号多重される。また、ＵＲＳアンテナポート｛９，１０，１２，１４｝で送信されるＵＲＳは符号多重される。
【００７０】
図６および図７において、ＣＲＳおよびＵＲＳがマップされないリソースエレメントにおいてＰＤＳＣＨが送信されてもよい。また、図６および図７において、ＣＲＳアンテナポートが｛０｝である場合、Ｒ１、Ｒ２およびＲ３が付されたリソースエレメントにおいてＰＤＳＣＨが送信されてもよい。また、図６および図７において、ＣＲＳアンテナポートが｛０，１｝である場合、Ｒ２およびＲ３が付されたリソースエレメントにおいてＰＤＳＣＨが送信されてもよい。また、図６および図７において、ＵＲＳアンテナポートが｛７｝、｛８｝、または、｛７，８｝である場合、Ｕ９が付されたリソースエレメントにおいてＰＤＳＣＨが送信されてもよい。
【００７１】
尚、あるサービングセルの一部または全部のサブフレームにおいて、ＣＲＳは存在しなくてもよい。基地局装置３は、サブフレームにおいてＣＲＳが送信されるかどうかを制御してもよい。基地局装置３は、ＣＲＳが存在しないサブフレーム（サブフレームセット）を示す情報／パラメータnoCRS-SubframeConfig-r12を、端末装置１に送信してもよい。また、基地局装置３は、サービングセルにおいてＣＲＳが存在しないことをを示す情報／パラメータnoCRS-servcellConfig-r12を、端末装置１に送信してもよい。また、基地局装置３は、複数のサブフレームセットを示す情報／パラメータSubframeSetConfig、および、該複数のサブフレームセットのそれぞれに対してＣＲＳが存在するかどうかを示す情報／パラメータnoCRS-SubframeSetConfig-r12を、端末装置１に送信してもよい。パラメータnoCRS-SubframeConfig-r12、パラメータnoCRS-servcellConfig-r12、および、パラメータSubframeSetConfig-r12とパラメータnoCRS-SubframeSetConfig-r12とのセットを、パラメータnoCRS-Config-r12とも称する。
【００７２】
パラメータnoCRS-Config-r12に基づいてＣＲＳが存在しないサービングセルとして指示されたサブフレームを、ｎｏＣＲＳサブフレーム、ＣＲＳが送信されなサブフレーム、または、ＣＲＳが存在しないサブフレームと称する。該ｎｏＣＲＳサブフレーム以外のサブフレームを、ＣＲＳサブフレーム、ＣＲＳが送信されるサブフレーム、または、ＣＲＳが存在するサブフレームと称する。尚、図６および図７において、ＣＲＳが存在しないサブフレームでは、Ｒ０、Ｒ１、Ｒ２およびＲ３が付されたリソースエレメントにおいてＰＤＳＣＨが送信されてもよい。
【００７３】
尚、ＣＲＳがマップされるリソースエレメントは、周波数領域においてシフトされてもよい。周波数領域におけるシフトを周波数シフトと称する。図６および図７は、周波数領域におけるシフトが０である。サービングセルに対するＣＲＳの周波数シフトの値は、サービングセルに対する物理レイヤセル識別子（physical layer cell identity: PCI）に基づいて決定される。すなわち、あるサブフレームにおけるＣＲＳの位置はＣＲＳアンテナポートの数、周波数シフトの値、該サブフレームがＭＢＳＦＮサブフレームとして指示されているかどうか、および／または、該サブフレームがＣＲＳが存在しないサブフレームとして指示されているかどうかに基づいて決定される。
【００７４】
ＵＲＳが送信されないリソースブロックにおいて、ＰＤＳＣＨはＣＲＳアンテナポートで送信される。ＵＲＳが送信されるリソースブロックにおいて、ＰＤＳＣＨはＵＲＳアンテナポートで送信される。ＰＤＳＣＨがＭＢＳＦＮサブフレームにおいて送信される場合、該ＰＤＳＣＨはＵＲＳアンテナポートで送信される。ＰＤＳＣＨがｎｏＣＲＳサブフレームにおいて送信される場合、該ＰＤＳＣＨはＵＲＳアンテナポートで送信される。
【００７５】
例えば、ＰＤＳＣＨが、送信モード１０がセットされた端末装置１宛であり、且つ、Ｃ−ＲＮＴＩでスクランブルされたＣＲＣパリティビットが付加されたＤＣＩフォーマット１Ａによってスケジュールされ、且つ、ｎｏｎ−ＭＢＳＦＮサブフレームにおいて送信される場合、該ＰＤＳＣＨはＣＲＳアンテナポートで送信される。ここで、ｎｏｎ−ＭＢＳＦＮサブフレームはＣＲＳサブフレームである。
【００７６】
例えば、ＰＤＳＣＨが、送信モード１０がセットされた端末装置１宛であり、且つ、Ｃ−ＲＮＴＩでスクランブルされたＣＲＣパリティビットが付加されたＤＣＩフォーマット１Ａによってスケジュールされ、且つ、ＭＢＳＦＮサブフレームにおいて送信される場合、該ＰＤＳＣＨはＵＲＳアンテナポートで送信される。
【００７７】
例えば、ＰＤＳＣＨが、送信モード１０がセットされた端末装置１宛であり、且つ、Ｃ−ＲＮＴＩでスクランブルされたＣＲＣパリティビットが付加されたＤＣＩフォーマット２Ｄによってスケジュールされる場合、該ＰＤＳＣＨはＵＲＳアンテナポートで送信される。
【００７８】
例えば、ＰＤＳＣＨが、送信モード１０がセットされた端末装置１宛であり、且つ、ＳＰＳ  Ｃ−ＲＮＴＩでスクランブルされたＣＲＣパリティビットが付加されたＤＣＩフォーマット（ＤＣＩフォーマット１ＡおよびＤＣＩフォーマット２Ｄ）によってスケジュールされる場合、該ＰＤＳＣＨはＵＲＳアンテナポートで送信される。
【００７９】
例えば、ＰＤＳＣＨが、送信モード１０がセットされた端末装置１宛であり、ＣＲＳが存在しないサブフレームにおいて送信される場合、該ＰＤＳＣＨはＵＲＳアンテナポートで送信される。ここで、ＰＤＳＣＨは、ＭＢＳＦＮサブフレームまたはｎｏｎ−ＭＢＳＦＮサブフレームにおいて、ＳＰＳ  Ｃ−ＲＮＴＩまたはＣ−ＲＮＴＩでスクランブルされたパリティビットが付加されたＤＣＩフォーマット（ＤＣＩフォーマット１ＡおよびＤＣＩフォーマット２Ｄ）によってスケジュールされる。
【００８０】
以下、ＰＤＳＣＨをリソースエレメントにマップするための方法について説明する。
【００８１】
基地局装置３は、ＰＤＳＣＨがマップされるリソースエレメントを決定するための１つまたは複数のパラメータセットを示す情報を含む上位層の信号を、端末装置１に送信する。端末装置１は、ＰＤＳＣＨがマップされるリソースエレメントを決定するための複数のパラメータセットを、基地局装置３から受信した上位層の信号に基づいてセットする。すなわち、基地局装置３は、ＰＤＳＣＨがマップされるリソースエレメントを決定するための複数のパラメータセットを、上位層の信号を介して端末装置１にセットする。基地局装置３は、送信モード１０がセットされた端末装置１に対して、少なくとも１つのパラメータセットをセットする。すなわち、送信モード１０がセットされる端末装置１は、少なくとも１つのパラメータセットがセットされる。また、サービングセルのそれぞれに対して、１つまたは複数のパラメータセットが個別に設定されてもよい。
【００８２】
ＰＤＳＣＨがマップされるリソースエレメントを決定するためのパラメータセットは、パラメータmbsfn-SubframeConfigList-r11とパラメータcrs-PortsCount-r11とパラメータcrs-FreqShift-r11を含む。パラメータmbsfn-SubframeConfigList-r11は、ＭＢＳＦＮサブフレームおよびｎｏｎ−ＭＢＳＦＮサブフレームを示す。パラメータcrs-PortsCount-r11は、ＣＲＳアンテナポートの数を示す。パラメータcrs-FreqShift-r11は、ＣＲＳに対する周波数シフトの値を示す。
【００８３】
尚、パラメータmbsfn-SubframeConfigListとパラメータmbsfn-SubframeConfigList-r11は個別にセットされてもよい。すなわち、パラメータmbsfn-SubframeConfigListによって与えられるサービングセルに対するＭＢＳＦＮサブフレームの設定と、パラメータmbsfn-SubframeConfigList-r11によって与えられるＰＤＳＣＨがマップされるリソースエレメントを決定するためのＭＢＳＦＮサブフレームの設定は異なってもよいし、同じでもよい。
【００８４】
ここで、端末装置１は、パラメータmbsfn-SubframeConfigList-r11によってＭＢＳＦＮサブフレームとして指示されなかったサブフレームを、ｎｏｎ−ＭＢＳＦＮサブフレームとみなしてもよい。例えば、パラメータmbsfn-SubframeConfigList-r11は、サブフレーム０およびサブフレーム５を、ＭＢＳＦＮサブフレームとして指示できなくてもよい。すなわち、サブフレーム０およびサブフレーム５は常にｎｏｎ−ＭＢＳＦＮサブフレームであってもよい。
【００８５】
尚、パラメータcrs-PortsCount-r11はサービングセルのＣＲＳアンテナポートの数とは独立してセットされてもよい。すなわち、パラメータcrs-PortsCount-r11が示すＣＲＳアンテナポートの数は、サービングセルに対するＣＲＳアンテナポートの数と異なってもよいし、同じでもよい。パラメータcrs-PortsCount-r11は、０、１、２、または、４を示す。
【００８６】
尚、パラメータcrs-FreqShift-r11はサービングセルのＣＲＳに対する周波数シフトの値とは独立してセットされてもよい。すなわち、パラメータcrs-FreqShift-r11が示すＣＲＳに対する周波数シフトの値は、サービングセルのＣＲＳに対する周波数シフトの値と異なってもよいし、同じでもよい。
【００８７】
例えば、あるパラメータセットに含まれるパラメータmbsfn-SubframeConfigList-r11とパラメータcrs-PortsCount-r11とパラメータcrs-FreqShift-r11は、サービングセルに対するＣＲＳの位置に関連されてもよい。例えば、あるパラメータセットに含まれるパラメータmbsfn-SubframeConfigList-r11とパラメータcrs-PortsCount-r11とパラメータcrs-FreqShift-r11は、協調セルに対するＣＲＳの位置に関連されてもよい。
【００８８】
あるサービングセルに対して送信モード１０がセットされた端末装置１は、Ｃ−ＲＮＴＩによってスクランブルされたＣＲＣパリティビットが付加されたＤＣＩフォーマット２Ｄによってスケジュールされ、且つ、該サービングセルに関連するＰＤＳＣＨがマップされたリソースエレメントを決定するために、ＤＣＩフォーマット２Ｄに含まれるＰＱＩフィールドの値が対応するパラメータセットを用いる。ＰＱＩフィールドには、１つのパラメータセットに対応する値を示す情報ビットがマップされる。
【００８９】
あるサービングセルに対して送信モード１０がセットされた端末装置１は、対応するＰＤＣＣＨ／ＥＰＤＣＣＨを伴わない、且つ、該サービングセルに関連するＰＤＳＣＨがマップされたリソースエレメントを決定するために、ＳＰＳアクティベーションに対応するＤＣＩフォーマット２Ｄに含まれるＰＱＩフィールドの値が対応するパラメータセットを用いる。対応するＰＤＣＣＨ／ＥＰＤＣＣＨを伴わないＰＤＳＣＨは、ＳＰＳ  Ｃ−ＲＮＴＩによってスクランブルされたＣＲＣパリティビットが付加されたＤＣＩフォーマット（ＤＣＩフォーマット１ＡおよびＤＣＩフォーマット２Ｄ）を用いて周期的に割り当てられたＰＤＳＣＨを含む。
【００９０】
図８は、本実施形態のＰＱＩフィールドの値とパラメータセットとの対応を示す表である。図８において、端末装置１は、４つまでのパラメータセットがセットされる。例えば、ＰＱＩフィールドの値‘００’は、第１のパラメータセットに対応する。
【００９１】
あるサービングセルに対して送信モード１０がセットされた端末装置１は、Ｃ−ＲＮＴＩによってスクランブルされたＣＲＣパリティビットが付加されたＤＣＩフォーマット１Ａによってスケジュールされ、且つ、ＵＲＳアンテナポートで送信され、且つ、該サービングセルに関連するＰＤＳＣＨがマップされたリソースエレメントを決定するために、図８の表における第１のパラメータセットを用いる。
【００９２】
あるサービングセルに対して送信モード１０がセットされた端末装置１は、ＳＰＳ  Ｃ−ＲＮＴＩによってスクランブルされたＣＲＣパリティビットが付加されたＤＣＩフォーマット１Ａによってスケジュールされ、且つ、該サービングセルに関連するＰＤＳＣＨがマップされたリソースエレメントを決定するために、図８の表における第１のパラメータセットを用いる。
【００９３】
あるサービングセルに対して送信モード１０がセットされた端末装置１は、ＤＣＩフォーマット１Ａによって指示されたＳＰＳアクティベーションに関連し、且つ、対応するＰＤＣＣＨ／ＥＰＤＣＣＨを伴わない、且つ、該サービングセルに関連するＰＤＳＣＨがマップされたリソースエレメントを決定するために、図８の表における第１のパラメータセットを用いる。
【００９４】
あるサービングセルに対して送信モード１０がセットされた端末装置１は、Ｃ−ＲＮＴＩによってスクランブルされたＣＲＣパリティビットが付加されたＤＣＩフォーマット１Ａによってスケジュールされ、且つ、ＣＲＳアンテナポートで送信され、且つ、該サービングセルに関連するＰＤＳＣＨがマップされたリソースエレメントを決定するために、パラメータmbsfn-SubframeConfigListとサービングセルに対するＣＲＳアンテナポートの数とサービングセルの物理レイヤセル識別子によって与えられる周波数シフトの値を用いる。
【００９５】
あるサービングセルに対して送信モード１０がセットされた端末装置１は、該サービングセルにおけるＣＲＳアンテナポートで送信されるＰＤＳＣＨがマップされたリソースエレメントを決定するために、パラメータmbsfn-SubframeConfigListとサービングセルに対するＣＲＳアンテナポートの数とサービングセルの物理レイヤセル識別子に基づく周波数シフトの値とを用いて、該ＰＤＳＣＨがマップされたリソースエレメントを決定するためのＣＲＳの位置を特定してもよい。
【００９６】
あるサービングセルに対して送信モード１０がセットされた端末装置１は、該サービングセルにおけるＵＲＳアンテナポートで送信されるＰＤＳＣＨがマップされたリソースエレメントを決定するために、図８の表における何れか１つのパラメータセットを用いて、該ＰＤＳＣＨがマップされたリソースエレメントを決定するためのＣＲＳの位置を特定してもよい。
【００９７】
ＰＤＳＣＨは、該ＰＤＳＣＨが関連するＵＲＳのために用いられるリソースエレメントにマップされない。
【００９８】
尚、端末装置１は、ＣＲＳが存在しないサブフレームにおいてＵＲＳアンテナポートで送信されるＰＤＳＣＨが対応するパラメータセットに含まれるパラメータcrs-PortsCount-r11が１、または、それより大きい値を示していた場合、該パラメータcrs-PortsCount-r11が示すＣＲＳアンテナポートの数を想定して該ＰＤＳＣＨがマップされたリソースエレメントを決定してもよい。
【００９９】
また、端末装置１は、ＣＲＳが存在しないサブフレームにおいてＵＲＳアンテナポートで送信されるＰＤＳＣＨが対応するパラメータセットに含まれるパラメータcrs-PortsCount-r11が１、または、それより大きい値を示していた場合、該パラメータcrs-PortsCount-r11にかかわらず、ＣＲＳアンテナポートの数が０であると想定して該ＰＤＳＣＨがマップされたリソースエレメントを決定してもよい。
【０１００】
これにより、ＣＲＳが存在するサブフレームにおいて送信されるＰＤＳＣＨとＣＲＳが存在しないサブフレームにおいて送信されるＰＤＳＣＨの両方に対して同一のパラメータセットを対応させることができる。
【０１０１】
尚、パラメータセットのそれぞれに、パラメータnoCRS-Config-r12が含まれてもよい。ここで、複数のパラメータセットに対して共通の１つのパラメータSubframeSetConfigが端末装置１にセットされ、パラメータセットのそれぞれに対して個別のパラメータnoCRS-SubframeSetConfig-r12が端末装置１にセットされてもよい。
【０１０２】
あるサービングセルに対して送信モード１０がセットされた端末装置１は、該サービングセルにおけるＵＲＳアンテナポートで送信されるＰＤＳＣＨがマップされたリソースエレメントを決定するために、該ＰＤＳＣＨが対応するパラメータセットに含まれるパラメータnoCRS-Config-r12を用いてもよい。これにより、基地局装置３は、セル（送信ポイント）のそれぞれにおける実際のＣＲＳ送信の有無に応じて、パラメータセットのそれぞれに含まれるパラメータnoCRS-Config-r12を、上位層の信号を介して端末装置１にセットすることができる。尚、パラメータnoCRS-Config-r12がセットされない場合、端末装置１は、全てのサブフレームをＣＲＳサブフレームとみなしてもよい。
【０１０３】
尚、基地局装置３は、上述した方法に基づいてＰＤＳＣＨをマップするリソースエレメントを決定する。
【０１０４】
以下、本発明の第１の実施形態における、下りリンクの送信電力割当について説明する。
【０１０５】
下りリンク電力制御は、リソースエレメント毎のエネルギー（Energy Per Resource Element: EPRE）によって表現される。リソースエレメントエネルギーはＣＰ（Cyclic Prefix）挿入前のエネルギーを意味する。また、リソースエレメントエネルギーという表現（term）は、適用される変調方式に対する全ての信号点（constellation point）にわたる平均のエネルギーを意味する。基地局装置３は、サービングセルと協調セルのそれぞれにおいて、リソースエレメント毎に下りリンク送信エネルギーを決定する。
【０１０６】
基地局装置３は、サービングセルのＣＲＳ  ＥＰＲＥを示すパラメータreferenceSignalPowerを、上位層の信号を介して端末装置１にセットする。基地局装置３は、異なるパラメータreferenceSignalPowerを送信するまで、ＣＲＳ  ＥＰＲＥを全てのサブフレームにわたって一定にし、下りリンクシステム帯域幅にわたって一定にする。端末装置１は、異なるパラメータreferenceSignalPowerを受信するまで、ＣＲＳ  ＥＰＲＥは全てのサブフレームにわたって一定であり、下りリンクシステム帯域幅にわたって一定であるとみなす。基地局装置３は、ＣＲＳの電力をブーストするために、ＣＲＳが含まれるＯＦＤＭシンボルにおいてＰＤＳＣＨの電力を減らしてもよい。尚、基地局装置３は、サービングセルと協調セルのそれぞれにおいて、個別にＣＲＳ  ＥＰＲＥを制御してもよい。
【０１０７】
ＯＦＤＭシンボルのそれぞれに対するＰＤＳＣＨ  ＥＰＲＥとサービングセルのＣＲＳ  ＥＰＲＥとの比率は、ρＡまたはρＢによって表現される。ρＡによって表現されるＯＦＤＭシンボルのそれぞれに対するＰＤＳＣＨ  ＥＰＲＥとサービングセルのＣＲＳ  ＥＰＲＥとの比率を、第１の比率と称する。ρＢによって表現されるＯＦＤＭシンボルのそれぞれに対するＰＤＳＣＨ  ＥＰＲＥとサービングセルのＣＲＳ  ＥＰＲＥとの比率を、第２の比率と称する。基地局装置３は、ρＡを決定するために用いられるパラメータＰＡ（p-a）、および、第１の比率（ρＡ）と第２の比率（ρＢ）との第３の比率（ρＢ／ρＡ）を決定するために用いられるパラメータＰＢ（p-b）を、上位層の信号を介して端末装置１にセットする。
【０１０８】
ＱＡＭ変調が適用され、ＣＲＳアンテナポートで送信されるＰＤＳＣＨの復調のために、端末装置１は第１の比率（ρＡ）、第２の比率（ρＢ）、および、第３の比率（ρＢ／ρＡ）を特定する。すなわち、対応するＰＤＳＣＨがマップされるＰＲＢにおいてＵＲＳが存在しない場合、ＱＡＭを用いて変調されたＰＤＳＣＨの復調のために、端末装置１は第１の比率（ρＡ）、第２の比率（ρＢ）、および、第３の比率（ρＢ／ρＡ）を特定する。
【０１０９】
基地局装置３は、送信モード１０がセットされた端末装置１宛てのＰＤＳＣＨがマップされる物理リソースブロックにおいてＵＲＳがある場合、ＵＲＳを含むＯＦＤＭシンボル内のＰＤＳＣＨ  ＥＰＲＥとＵＲＳ  ＥＰＲＥとの比率は、２と同じ、または、それ以下の送信レイヤの数に対しては０ｄＢであり、２より多い送信レイヤの数に対しては−３ｄＢである。ＵＲＳは、対応するＰＤＳＣＨ  ＥＰＲＥとサービングセルのＣＲＳ  ＥＰＲＥとの比率がρＡによって表現されるＯＦＤＭシンボルにおいて送信される。すなわち、ＵＲＳアンテナポートで送信されるＰＤＳＣＨの復調のために、端末装置１は第３の比率（ρＢ／ρＡ）を特定する必要がある。また、ＵＲＳアンテナポートで送信されるＰＤＳＣＨの復調のために、端末装置１は第１の比率（ρＡ）、および、第２の比率（ρＢ）を特定しなくてもよい。
【０１１０】
図９は、本実施形態の第３の比率（ρＢ／ρＡ）を示す表である。第３の比率は、パラメータＰＢおよびＣＲＳアンテナポートの数に基づいて与えられる。尚、ＣＲＳが存在しないサブフレームに対して、第３の比率は定義されなくてもよい。すなわち、ＣＲＳアンテナポートの数が０である場合、第３の比率は定義されなくてもよい。送信モード１０がセットされた端末装置１は、ＣＲＳが存在するサブフレームにおいてＣＲＳアンテナポートまたはＵＲＳアンテナポートでＰＤＳＣＨが送信される場合、図９のＣＲＳアンテナポートの数は、サービングセルに対するＣＲＳアンテナポートの数であるとみなす。つまり、送信モード１０がセットされた端末装置１は、ＣＲＳが存在するサブフレームにおいてＣＲＳアンテナポートまたはＵＲＳアンテナポートでＰＤＳＣＨが送信される場合、サービングセルに対するＣＲＳアンテナポートの数に基づいて、第３の比率（ρＢ／ρＡ）を特定する。
【０１１１】
尚、送信モード１０がセットされた端末装置１は、ＣＲＳが存在するサブフレームにおいてＵＲＳアンテナポートでＰＤＳＣＨが送信される場合、図９のＣＲＳアンテナポートの数は、該ＰＤＳＣＨが対応するパラメータcrs-PortsCount-r11が示すＣＲＳアンテナポートの数であるとみなしてもよい。つまり、送信モード１０がセットされた端末装置１は、ＣＲＳが存在するサブフレームにおいてＵＲＳアンテナポートでＰＤＳＣＨが送信される場合、該ＰＤＳＣＨが対応するパラメータcrs-PortsCount-r11が示すＣＲＳアンテナポートの数に基づいて、第３の比率（ρＢ／ρＡ）を特定してもよい。これにより、協調セル（第２の送信ポイント）において実際に用いられるＣＲＳアンテナポートの数に基づいて、効率的にＰＤＳＣＨでの送信に対する送信電力がセットされることができる。
【０１１２】
図１０は、本実施形態において対応するＰＤＳＣＨ  ＥＰＲＥとサービングセルのＣＲＳ  ＥＰＲＥとの比率がρＡまたはρＢによって表現される、ｎｏｎ−ＭＢＳＦＮサブフレームのスロット内のＯＦＤＭシンボルインデックスを示す表である。
【０１１３】
図１１は、本実施形態において対応するＰＤＳＣＨ  ＥＰＲＥとサービングセルのＣＲＳ  ＥＰＲＥとの比率がρＡまたはρＢによって表現される、ＭＢＳＦＮサブフレームのスロット内のＯＦＤＭシンボルインデックスを示す表である。ｎｓは、無線フレーム内におけるスロットの番号を示す。
【０１１４】
送信モード１０がセットされた端末装置１は、ＣＲＳが存在しないサブフレームにおいてＵＲＳアンテナポートでＰＤＳＣＨが送信される場合、該ＰＤＳＣＨが対応するパラメータcrs-PortsCount-r11が示すＣＲＳアンテナポートの数、および、サービングセルに対するＣＲＳアンテナポートの数にかかわらず、図１０および図１１におけるＣＲＳアンテナポートの数を０とみなしてもよい。
【０１１５】
尚、送信モード１０がセットされた端末装置１は、ＣＲＳが存在しないサブフレームにおいてＵＲＳアンテナポートでＰＤＳＣＨが送信される場合、該ＰＤＳＣＨが対応するパラメータcrs-PortsCount-r11によって示されるＣＲＳアンテナポートの数に基づいて、図１０および図１１におけるＣＲＳアンテナポートの数を決定してもよい。
【０１１６】
送信モード１０がセットされた端末装置１は、ＣＲＳが存在するサブフレームにおいてＣＲＳアンテナポートまたはＵＲＳアンテナポートでＰＤＳＣＨが送信され、パラメータmbsfn-SubframeConfigListによって該サブフレームがｎｏｎ−ＭＢＳＦＮサブフレームとして指示されている場合には、図１０の表に基づいて、対応するＰＤＳＣＨ  ＥＰＲＥとサービングセルのＣＲＳ  ＥＰＲＥとの比率がρＡまたはρＢによって表現される、該サブフレームのスロット内のＯＦＤＭシンボルインデックスを特定する。
【０１１７】
送信モード１０がセットされた端末装置１は、ＣＲＳが存在するサブフレームにおいてＣＲＳアンテナポートまたはＵＲＳアンテナポートでＰＤＳＣＨが送信され、パラメータmbsfn-SubframeConfigListによって該サブフレームがＭＢＳＦＮサブフレームとして指示されている場合には、図１１の表に基づいて、対応するＰＤＳＣＨ  ＥＰＲＥとサービングセルのＣＲＳ  ＥＰＲＥとの比率がρＡまたはρＢによって表現される、該サブフレームのスロット内のＯＦＤＭシンボルインデックスを特定する。
【０１１８】
図１２は、本実施形態のρＡまたはρＢが対応するＯＦＤＭシンボルインデックスの一例を示す図である。図１３は、本実施形態のρＡまたはρＢが対応するＯＦＤＭシンボルインデックスの別の例を示す図である。図１２および図１３は、時間領域における１つのサブフレーム、および、周波数領域における１つの下りリンク物理リソースブロックの帯域幅によって表現される２つの物理リソースブロックを示す。
【０１１９】
図１２および図１３は以下の条件１−９を満たしている。
・条件１：ＣＲＳが存在する
・条件２：サービングセルに対するＣＲＳアンテナポートの数は４
・条件３：サービングセルに対するＣＲＳの周波数シフトの値は０
・条件４：サービングセルに対するパラメータmbsfn-SubframeConfigListによってＭＢＳＦＮサブフレームとして指示されている
・条件５：ＰＤＳＣＨはＵＲＳアンテナポート７−１４で送信される
・条件６：ＰＤＳＣＨが対応するパラメータセットに含まれるパラメータcrs-PortsCount-r11が示すＣＲＳアンテナポートの数は１
・条件７：ＰＤＳＣＨが対応するパラメータセットに含まれるパラメータcrs-FreqShift-r11が示す周波数シフトの値は０
・条件８：ＰＤＳＣＨが対応するパラメータセットに含まれるパラメータmbsfn-SubframeConfigList-r11によってｎｏｎ−ＭＢＳＦＮサブフレームとして指示されている
・条件９：ＰＤＳＣＨがマップされるリソースエレメントは、少なくともパラメータcrs-PortsCount-r11、パラメータcrs-FreqShift-r11、および、パラメータmbsfn-SubframeConfigList-r11に基づいて決定される。
【０１２０】
図１２および図１３において、Ｒｉ（ｉ＝０，１，２，３）が付された四角は、ＣＲＳアンテナポートｉで送信されるＣＲＳがマップされるリソースエレメントを示す。図１２および図１３において、Ｕ７が付された四角はＵＲＳアンテナポート｛７，８，１１，１３｝で送信されるＵＲＳがマップされるリソースエレメントを示し、Ｕ９が付された四角はＵＲＳアンテナポート｛９，１０，１２，１４｝で送信されるＵＲＳがマップされるリソースエレメントを示す。図１２および図１３において、ドットでハッチングされた四角はＰＤＳＣＨがマップされるリソースエレメントを示す。
【０１２１】
図１２において、送信モード１０がセットされた端末装置１は、図１１の表におけるＣＲＳアンテナポートの数４が対応する列に基づいて、対応するＰＤＳＣＨ  ＥＰＲＥとサービングセルのＣＲＳ  ＥＰＲＥとの比率がρＡまたはρＢによって表現される、ＭＢＳＦＮサブフレームのスロット内のＯＦＤＭシンボルインデックスを特定する。すなわち、図１２において、ns mod 2 = 0を満たすスロットにおけるインデックス０および１のＯＦＤＭシンボルはρＢに対応し、それ以外のＯＦＤＭシンボルはρＡに対応する。
【０１２２】
このように、端末装置１および基地局装置３は、パラメータセットにかかわらず、常にサービングセルに対するＣＲＳアンテナポート数、および、サービングセルに対するパラメータmbsfn-SubframeConfigListに基づいて、対応するＰＤＳＣＨ  ＥＰＲＥとサービングセルのＣＲＳ  ＥＰＲＥとの比率がρＡまたはρＢによって表現される、該サブフレームのスロット内のＯＦＤＭシンボルインデックスを特定できるので、端末装置１および基地局装置３の構成を簡略化することができる。
【０１２３】
図１２において、ＰＤＳＣＨがマップされるリソースエレメントを決定するために用いられるＣＲＳの位置とは異なるＣＲＳの位置に基づいて、対応するＰＤＳＣＨ  ＥＰＲＥとサービングセルのＣＲＳ  ＥＰＲＥとの比率がρＡまたはρＢによって表現される、サブフレームのスロット内のＯＦＤＭシンボルインデックスが特定される。これが原因となって、図１２においてns mod 2 = 0を満たすスロットにおけるインデックス１のＯＦＤＭシンボル内にはＣＲＳが含まれないにもかかわらず、ＣＲＳのブースティングのためのＰＤＳＣＨ  ＥＰＲＥの低減が行われてしまい、図１２においてns mod 2 = 0を満たすスロットにおけるインデックス４のＯＦＤＭシンボル、および、ns mod 2 = 1を満たすスロットにおけるインデックス０および４のＯＦＤＭシンボル内にＣＲＳが含まれるにもかかわらず、ＣＲＳのブースティングのためのＰＤＳＣＨ  ＥＰＲＥの低減が行われない。これにより、ＣＲＳのブースティングおよびＰＤＳＣＨでの送信に対する送信電力の制御を適切に行えないという問題がある。
【０１２４】
そこで、送信モード１０がセットされた端末装置１は、ＣＲＳが存在するサブフレームにおいてＵＲＳアンテナポートでＰＤＳＣＨが送信され、該ＰＤＳＣＨが対応するパラメータセットに含まれるパラメータmbsfn-SubframeConfigList-r11によって該サブフレームがｎｏｎ−ＭＢＳＦＮサブフレームとして指示されている場合には、図１０の表に基づいて、対応するＰＤＳＣＨ  ＥＰＲＥとサービングセルのＣＲＳ  ＥＰＲＥとの比率がρＡまたはρＢによって表現される、該サブフレームのスロット内のＯＦＤＭシンボルインデックスを特定してもよい。
【０１２５】
また、送信モード１０がセットされた端末装置１は、ＣＲＳが存在するサブフレームにおいてＵＲＳアンテナポートでＰＤＳＣＨが送信され、該ＰＤＳＣＨが対応するパラメータセットに含まれるパラメータmbsfn-SubframeConfigList-r11によって該サブフレームがＭＢＳＦＮサブフレームとして指示されている場合には、図１１の表に基づいて、対応するＰＤＳＣＨ  ＥＰＲＥとサービングセルのＣＲＳ  ＥＰＲＥとの比率がρＡまたはρＢによって表現される、該サブフレームのスロット内のＯＦＤＭシンボルインデックスを特定してもよい。
【０１２６】
また、送信モード１０がセットされた端末装置１は、ＣＲＳが存在するサブフレームにおいてＵＲＳアンテナポートでＰＤＳＣＨが送信され、該ＰＤＳＣＨが対応するパラメータセットに含まれるパラメータcrs-FreqShift-r11、および、図１０または図１１の表に基づいて、対応するＰＤＳＣＨ  ＥＰＲＥとサービングセルのＣＲＳ  ＥＰＲＥとの比率がρＡまたはρＢによって表現される、該サブフレームのスロット内のＯＦＤＭシンボルインデックスを特定してもよい。
【０１２７】
図１３において、送信モード１０がセットされた端末装置１は、図１０の表におけるＣＲＳアンテナポートの数１が対応する列に基づいて、対応するＰＤＳＣＨ  ＥＰＲＥとサービングセルのＣＲＳ  ＥＰＲＥとの比率がρＡまたはρＢによって表現される、ｎｏｎ−ＭＢＳＦＮサブフレームのスロット内のＯＦＤＭシンボルインデックスを特定する。すなわち、図１３において、ns mod 2 = 0,1を満たすスロットにおけるインデックス０および４のＯＦＤＭシンボルはρＢに対応し、それ以外のＯＦＤＭシンボルはρＡに対応する。
【０１２８】
このように、端末装置１および基地局装置３は、サービングセルに対するＣＲＳアンテナポート数、および、サービングセルに対するパラメータmbsfn-SubframeConfigListにかかわらず、ＰＤＳＣＨが対応するパラメータセットに基づいて、対応するＰＤＳＣＨ  ＥＰＲＥとサービングセルのＣＲＳ  ＥＰＲＥとの比率がρＡまたはρＢによって表現される、該サブフレームのスロット内のＯＦＤＭシンボルインデックスを特定できるので、基地局装置３はＣＲＳのブースティングおよびＰＤＳＣＨでの送信に対する送信電力を適切に制御することができる。
【０１２９】
以下、本実施形態における装置の構成について説明する。
【０１３０】
図１４は、本実施形態の端末装置１の構成を示す概略ブロック図である。図示するように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、受信制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１３１】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１３２】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。
【０１３３】
上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０１３４】
上位層処理部１０１が備える受信制御部１０１５は、無線リソース制御部１０１１によって管理されている各種設定情報／パラメータに基づいて、ＰＤＳＣＨがマップされるリソースエレメント、第１の比率（ρＡ）、第２の比率（ρＢ）、第３の比率（ρＢ／ρＡ）、第１の比率（ρＡ）が対応するＯＦＤＭシンボルのインデックス、および／または、第２の比率（ρＢ）が対応するＯＦＤＭシンボルのインデックスを特定する。尚、受信部１０５、または、多重分離部１０５５が、受信電力制御部１０１５の機能を備えてもよい。
【０１３５】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１３６】
受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０１３７】
無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１３８】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０１３９】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０１４０】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１４１】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【０１４２】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。
【０１４３】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０１４４】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０１４５】
上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１４６】
無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０１４７】
図１５は、本実施形態の基地局装置３の構成を示す概略ブロック図である。図示するように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、送信制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１４８】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１４９】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部１０１１は、上位層の信号を介して端末装置１各々に対して各種設定情報／パラメータをセットしてもよい。すなわち、無線リソース制御部１０１１は、各種設定情報／パラメータを示す情報を送信／報知する。
【０１５０】
上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０１５１】
上位層処理部３０１が備える送信制御部３０１５は、無線リソース制御部１０１１によって管理されている各種設定情報／パラメータに基づいて、ＰＤＳＣＨがマップされるリソースエレメント、第１の比率（ρＡ）、第２の比率（ρＢ）、第３の比率（ρＢ／ρＡ）、第１の比率（ρＡ）が対応するＯＦＤＭシンボルのインデックス、および／または、第２の比率（ρＢ）が対応するＯＦＤＭシンボルのインデックスを決定し、ＰＤＳＣＨのマッピングおよびＰＤＳＣＨ  ＥＰＲＥを制御する。尚、送信部３０７、または、多重部３０５が、送信電力制御部３０１５の機能を備えてもよい。
【０１５２】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１５３】
受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１５４】
無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０１５５】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１５６】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１５７】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１５８】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０１５９】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１６０】
下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１６１】
無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０１６２】
すなわち、本実施形態の端末装置１は、ＣＲＳが存在しないサブフレームを示すパラメータnoCRS-Config-r12を示す情報と、サービングセルにおけるＭＢＳＦＮサブフレームを示すパラメータmbsfn-SubframeConfigListを示す情報と、ＭＢＳＦＮサブフレームを示し、ＰＤＳＣＨがマップされるリソースエレメントを決定するためのパラメータmbsfn-SubframeConfigList-r11を示す情報と、ＣＲＳアンテナポートの数を示し、ＰＤＳＣＨがマップされるリソースエレメントを決定するためのパラメータcrs-PortsCount-r11を示す情報と、ＰＤＳＣＨ  ＥＰＲＥとサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率に関するパラメータp-bを示す情報と、を受信する受信部１０５を備える。
【０１６３】
また、上記の受信部１０５、および／または、本実施形態の端末装置１が備える受信制御部１０１５は、サービングセルに対するＣＲＳアンテナポートと異なるＵＲＳアンテナポートで送信されるＰＤＳＣＨを、前記パラメータnoCRS-Config-r12によってＣＲＳが存在しないサブフレームとして指示されたサブフレームにおいて受信する場合に、前記ＰＤＳＣＨが対応する前記パラメータcrs-PortsCount-r11が示すＣＲＳアンテナポートの数にかかわらず、ＣＲＳアンテナポートの数が０であると想定することにより、前記ＰＤＳＣＨがマップされるリソースエレメント、および、前記第１の比率が対応するＯＦＤＭシンボルを特定する。
【０１６４】
尚、上記の受信部１０５、および／または、上記の受信制御部１０１５は、サービングセルに対するＣＲＳアンテナポートと異なるＵＲＳアンテナポートで送信されるＰＤＳＣＨを受信する場合に、前記ＰＤＳＣＨを受信するサブフレームが前記パラメータnoCRS-Config-r12によってＣＲＳが存在しないサブフレームとして指示されていることにかかわらず、前記ＰＤＳＣＨが対応する前記パラメータcrs-PortsCount-r11が示すＣＲＳアンテナポートの数、および、前記ＰＤＳＣＨを受信するサブフレームが前記パラメータmbsfn-SubframeConfigList-r11によってＭＢＳＦＮサブフレームとして指示されているかどうかに基づいて、前記ＰＤＳＣＨがマップされるリソースエレメント、前記第１の比率が対応するＯＦＤＭシンボル、および、前記第２の比率が対応するＯＦＤＭシンボルを特定してもよい。
【０１６５】
また、上記の受信部１０５、および／または、上記の受信制御部１０１５は、前記パラメータcrs-PortsCount-r11および前記パラメータmbsfn-SubframeConfigList-r11がセットされており、前記パラメータnoCRS-Config-r12によってＣＲＳが存在しないサブフレームとして指示されたサブフレーム以外のサブフレームにおいて少なくとも前記パラメータcrs-PortsCount-r11および前記パラメータmbsfn-SubframeConfigList-r11に基づいて決定されるリソースエレメントにマップされ、前記サービングセルに対するＣＲＳアンテナポートと異なるＵＲＳアンテナポートで送信されるＰＤＳＣＨを受信する場合に、前記ＰＤＳＣＨを受信するサブフレームが前記パラメータmbsfn-SubframeConfigListによってＭＢＳＦＮサブフレームとして指示されているかどうか、および、前記サービングセルに対するＣＲＳアンテナポートの数に基づいて、前記第１の比率が対応するＯＦＤＭシンボル、および、前記第２の比率が対応するＯＦＤＭシンボルを特定する。
【０１６６】
尚、上記の受信部１０５、および／または、上記の受信制御部１０１５は、前記パラメータcrs-PortsCount-r11および前記パラメータmbsfn-SubframeConfigList-r11がセットされており、前記パラメータnoCRS-Config-r12によってＣＲＳが存在しないサブフレームとして指示されたサブフレーム以外のサブフレームにおいて少なくとも前記パラメータcrs-PortsCount-r11および前記パラメータmbsfn-SubframeConfigList-r11に基づいて決定されるリソースエレメントにマップされ、前記サービングセルに対するＣＲＳアンテナポートと異なるＵＲＳアンテナポートで送信されるＰＤＳＣＨを受信する場合に、前記ＰＤＳＣＨを受信するサブフレームが前記パラメータmbsfn-SubframeConfigList-r11によってＭＢＳＦＮサブフレームとして指示されているかどうか、および、前記パラメータcrs-PortsCount-r11によって示されるＣＲＳポートの数に基づいて、前記第１の比率が対応するＯＦＤＭシンボル、および、前記第２の比率が対応するＯＦＤＭシンボルを特定してもよい。
【０１６７】
また、上記の受信部１０５、および／または、上記の受信制御部１０１５は、前記パラメータcrs-PortsCount-r11および前記パラメータmbsfn-SubframeConfigList-r11がセットされており、前記パラメータnoCRS-Config-r12によってＣＲＳが存在しないサブフレームとして指示されたサブフレーム以外のサブフレームにおいて少なくともサービングセルにおけるＣＲＳアンテナポートの数および前記パラメータmbsfn-SubframeConfigListに基づいて決定されるリソースエレメントにマップされ、前記サービングセルに対するＣＲＳアンテナポートで送信されるＰＤＳＣＨを受信する場合に、前記ＰＤＳＣＨを受信するサブフレームが前記パラメータmbsfn-SubframeConfigListによってＭＢＳＦＮサブフレームとして指示されているかどうか、および、前記サービングセルにおけるＣＲＳアンテナポートの数に基づいて、前記第１の比率が対応するＯＦＤＭシンボル、および、前記第２の比率が対応するＯＦＤＭシンボルを特定する。
【０１６８】
また、上記の受信部１０５、および／または、上記の受信制御部１０１５は、前記パラメータcrs-PortsCount-r11および前記パラメータmbsfn-SubframeConfigList-r11がセットされていない場合、前記ＰＤＳＣＨを受信するサブフレームが前記パラメータmbsfn-SubframeConfigListによってＭＢＳＦＮサブフレームとして指示されているかどうか、および、前記サービングセルにおけるＣＲＳアンテナポートの数に基づいて、前記第１の比率が対応するＯＦＤＭシンボル、および、前記第２の比率が対応するＯＦＤＭシンボルを特定する。
【０１６９】
また、本実施形態の基地局装置３は、ＣＲＳが存在しないサブフレームを示すパラメータnoCRS-Config-r12を示す情報と、サービングセルにおけるＭＢＳＦＮサブフレームを示すパラメータmbsfn-SubframeConfigListを示す情報と、ＭＢＳＦＮサブフレームを示し、ＰＤＳＣＨがマップされるリソースエレメントを決定するためのパラメータmbsfn-SubframeConfigList-r11を示す情報と、ＣＲＳアンテナポートの数を示し、ＰＤＳＣＨがマップされるリソースエレメントを決定するためのパラメータcrs-PortsCount-r11を示す情報と、ＰＤＳＣＨ  ＥＰＲＥとサービングセルのＣＲＳ  ＥＰＲＥとの第１の比率と、ＰＤＳＣＨ  ＥＰＲＥとサービングセルのＣＲＳ  ＥＰＲＥとの第２の比率と、の第３の比率に関するパラメータp-bを示す情報と、を送信する送信部３０７を備える。
【０１７０】
また、上記の送信部３０７、および／または、本実施形態の基地局装置３が備える送信制御部３０１５は、前記パラメータnoCRS-Config-r12によってＣＲＳが存在しないサブフレームとして指示されたサブフレームにおいてサービングセルに対するＣＲＳアンテナポートと異なるＵＲＳアンテナポートでＰＤＳＣＨを送信する場合に、前記ＰＤＳＣＨが対応する前記パラメータcrs-PortsCount-r11が示すＣＲＳアンテナポートの数にかかわらず、ＣＲＳアンテナポートの数が０であると想定することにより、前記ＰＤＳＣＨをマップするリソースエレメント、および、前記第１の比率が対応するＯＦＤＭシンボルを決定し、前記ＰＤＳＣＨを決定したリソースエレメントにマップし、前記ＰＤＳＣＨに対する送信電力を制御する。
【０１７１】
尚、上記の送信部３０７、および／または、上記の送信制御部３０１５は、サービングセルに対するＣＲＳアンテナポートと異なるＵＲＳアンテナポートでＰＤＳＣＨを送信する場合に、前記ＰＤＳＣＨを送信するサブフレームが前記パラメータnoCRS-Config-r12によってＣＲＳが存在しないサブフレームとして指示されていることにかかわらず、前記ＰＤＳＣＨが対応する前記パラメータcrs-PortsCount-r11が示すＣＲＳアンテナポートの数、および、前記ＰＤＳＣＨを送信するサブフレームが前記パラメータmbsfn-SubframeConfigList-r11によってＭＢＳＦＮサブフレームとして指示されているかどうかに基づいて、前記ＰＤＳＣＨをマップするリソースエレメント、前記第１の比率が対応するＯＦＤＭシンボル、および、前記第２の比率が対応するＯＦＤＭシンボルを決定し、前記ＰＤＳＣＨを決定したリソースエレメントにマップし、前記ＰＤＳＣＨに対する送信電力を制御してもよい。
【０１７２】
また、上記の送信部３０７、および／または、上記の送信制御部３０１５は、前記端末装置に対して前記パラメータcrs-PortsCount-r11および前記パラメータmbsfn-SubframeConfigList-r11がセットされており、前記パラメータnoCRS-Config-r12によってＣＲＳが存在しないサブフレームとして指示されたサブフレーム以外のサブフレームにおいて少なくとも前記パラメータcrs-PortsCount-r11および前記パラメータmbsfn-SubframeConfigList-r11に基づいて決定されるリソースエレメントにＰＤＳＣＨをマップし、前記サービングセルに対するＣＲＳアンテナポートと異なるＵＲＳアンテナポートで該ＰＤＳＣＨを送信する場合に、前記ＰＤＳＣＨを送信するサブフレームが前記パラメータmbsfn-SubframeConfigListによってＭＢＳＦＮサブフレームとして指示されているかどうか、および、前記サービングセルに対するＣＲＳアンテナポートの数に基づいて、前記第１の比率が対応するＯＦＤＭシンボル、および、前記第２の比率が対応するＯＦＤＭシンボルを決定し、前記ＰＤＳＣＨに対する送信電力を制御する。
【０１７３】
また、上記の送信部３０７、および／または、上記の送信制御部３０１５は、前記端末装置に対して前記パラメータcrs-PortsCount-r11および前記パラメータmbsfn-SubframeConfigList-r11がセットされており、前記パラメータnoCRS-Config-r12によってＣＲＳが存在しないサブフレームとして指示されたサブフレーム以外のサブフレームにおいて少なくとも前記パラメータcrs-PortsCount-r11および前記パラメータmbsfn-SubframeConfigList-r11に基づいて決定されるリソースエレメントにＰＤＳＣＨをマップし、前記サービングセルに対するＣＲＳアンテナポートと異なるＵＲＳアンテナポートで該ＰＤＳＣＨを送信する場合に、前記ＰＤＳＣＨを送信するサブフレームが前記パラメータmbsfn-SubframeConfigList-r11によってＭＢＳＦＮサブフレームとして指示されているかどうか、および、前記パラメータcrs-PortsCount-r11によって示されるＣＲＳポートの数に基づいて、前記第１の比率が対応するＯＦＤＭシンボル、および、前記第２の比率が対応するＯＦＤＭシンボルを決定し、前記ＰＤＳＣＨに対する送信電力を制御してもよい。
【０１７４】
また、上記の送信部３０７、および／または、上記の送信制御部３０１５は、前記端末装置に対して前記パラメータcrs-PortsCount-r11および前記パラメータmbsfn-SubframeConfigList-r11がセットされており、前記パラメータnoCRS-Config-r12によってＣＲＳが存在しないサブフレームとして指示されたサブフレーム以外のサブフレームにおいて少なくともサービングセルにおけるＣＲＳアンテナポートの数および前記パラメータmbsfn-SubframeConfigListに基づいて決定されるリソースエレメントにＰＤＳＣＨをマップし、前記サービングセルに対するＣＲＳアンテナポートと同じアンテナポートで該ＰＤＳＣＨを送信する場合に、前記ＰＤＳＣＨを送信するサブフレームが前記パラメータmbsfn-SubframeConfigListによってＭＢＳＦＮサブフレームとして指示されているかどうか、および、前記サービングセルにおけるＣＲＳアンテナポートの数に基づいて、前記第１の比率が対応するＯＦＤＭシンボル、および、前記第２の比率が対応するＯＦＤＭシンボルを特定し、前記ＰＤＳＣＨに対する送信電力を制御する。
【０１７５】
また、上記の送信部３０７、および／または、上記の送信制御部３０１５は、前記端末装置に対して前記パラメータcrs-PortsCount-r11および前記パラメータmbsfn-SubframeConfigList-r11がセットされておらず、前記パラメータnoCRS-Config-r12によってＣＲＳが存在しないサブフレームとして指示されたサブフレーム以外のサブフレームにおいてＰＤＳＣＨを受信する場合、前記ＰＤＳＣＨを受信するサブフレームが前記パラメータmbsfn-SubframeConfigListによってＭＢＳＦＮサブフレームとして指示されているかどうか、および、前記サービングセルにおけるＣＲＳアンテナポートの数に基づいて、前記第１の比率が対応するＯＦＤＭシンボル、および、前記第２の比率が対応するＯＦＤＭシンボルを特定し、前記ＰＤＳＣＨに対する送信電力を制御する。
【０１７６】
尚、ＯＦＤＭシンボルを特定することは、ＯＦＤＭシンボルのインデックスを特定することを意味する。
【０１７７】
これにより、ＰＤＳＣＨを用いて端末装置と基地局装置とが効率的に通信することができる。また、  下りリンク物理チャネルをリソースエレメントに効率的にマップすることができる。また、下りリンク物理チャネルでの送信に対する送信電力を効率的に制御することができる。
【０１７８】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１７９】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１８０】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１８１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１８２】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１８３】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１８４】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１８５】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１８６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１８７】
１（１Ａ、１Ｂ、１Ｃ）  端末装置
３  基地局装置
１０１  上位層処理部
１０３  制御部
１０５  受信部
１０７  送信部
１０９  送受信アンテナ部
３０１  上位層処理部
３０３  制御部
３０５  受信部
３０７  送信部
３０９  送受信アンテナ部
１０１１  無線リソース制御部
１０１３  スケジューリング情報解釈部
１０１５  受信制御部
３０１１  無線リソース制御部
３０１３  スケジューリング部
３０１５  送信制御部
【図１】
2015005428.tif 000003
【図２】
2015005428.tif 000004
【図３】
2015005428.tif 000005
【図４】
2015005428.tif 000006
【図５】
2015005428.tif 000007
【図６】
2015005428.tif 000008
【図７】
2015005428.tif 000009
【図８】
2015005428.tif 000010
【図９】
2015005428.tif 000011
【図１０】
2015005428.tif 000012
【図１１】
2015005428.tif 000013
【図１２】
2015005428.tif 000014
【図１３】
2015005428.tif 000015
【図１４】
2015005428.tif 000016
【図１５】
2015005428.tif 000017
【国際調査報告】
2015005428.tif 000018
2015005428.tif 000019
2015005428.tif 000020